(57)【特許請求の範囲】
【請求項１】
無線基地局部及びこの無線基地局部にシリアル接続されている送信増幅器監視部を備える移動通信システムにおける無線変復調装置であって、
前記無線基地局部は、
前記送信増幅器監視部とのインターフェースを受持つ外部インターフェース機能部と、
各種機能毎のプログラムデータを記憶しているシステムデータ記憶機能部と、
前記送信増幅器監視部の状態を監視し、前記プログラムデータの比較により、異なる場合には前記システムデータ記憶機能部に対し、前記各種機能毎のプログラムデータを転送させる保守監視機能部とを備え、
前記送信増幅器監視部は、
前記無線基地局部からのプログラムデータを受付ける送信増幅器監視制御機能部と、
前記送信増幅器監視制御機能部に接続されるとともに、送信データの増幅を行う複数の送信増幅器部とを備え、
初期起動時に、前記保守監視機能部により、前記システムデータ記憶機能部に記憶されているプログラムデータと前記送信増幅器監視部側のプログラムデータとが比較され、異なる場合には前記システムデータ記憶機能部に記憶されているプログラムデータが前記送信増幅器監視部に転送されると、前記送信増幅器監視制御機能部により転送されたプログラムデータがダウンロード処理の対象となる前記送信増幅器部へ同時にダウンロードされる
ことを特徴とする移動通信システムにおける無線変復調装置。
【請求項２】
無線基地局部及びこの無線基地局部にシリアル接続されている送信増幅器監視部を備える移動通信システムにおける無線変復調装置の初期起動方法であって、
前記無線基地局部は、
外部インターフェース機能部により、前記送信増幅器監視部とのインターフェースがとられる工程と、
システムデータ記憶機能部により、各種機能毎のプログラムデータが記憶される工程と、
保守監視機能部により、前記送信増幅器監視部の状態が監視され、前記プログラムデータの比較により、異なる場合には前記システムデータ記憶機能部に対し、前記各種機能毎のプログラムデータを転送させる工程とを有し、
前記送信増幅器監視部は、
送信増幅器監視制御機能部により、前記無線基地局部からのプログラムデータが受付けられる工程と、
前記送信増幅器監視制御機能部に接続される送信増幅器部により、送信データの増幅が行われる工程とを有し、
さらに、初期起動時に、前記保守監視機能部により、前記システムデータ記憶機能部に記憶されているプログラムデータと前記送信増幅器監視部側のプログラムデータとが比較される工程と、
異なる場合には前記システムデータ記憶機能部に記憶されているプログラムデータが前記送信増幅器監視部に転送されると、前記送信増幅器監視制御機能部により転送されたプログラムデータがダウンロード処理の対象となる前記送信増幅器部へ同時にダウンロードされる工程とを有する
ことを特徴とする移動通信システムにおける無線変復調装置の初期起動方法。
【発明の詳細な説明】
【０００１】
【発明の属する技術分野】
本発明は、ＢＴＳ（無線基地局）の初期起動時における時間を短縮する移動通信システムにおける無線変復調装置に関する。
【０００２】
【従来の技術】
たとえばＷ−ＣＤＭＡ方式による移動通信システムにおけるＢＴＳ（無線基地局）の無線変復調装置は、保守監視機能部を有する無線基地局部と、送信増幅器監視制御機能部及び送信増幅器部を有する送信増幅器監視部とを備えている。このような移動通信システムでは、特に無線変復調装置における初期起動時間が本来実装されるべきカード枚数に依存するとともに、シリアル接続されている送信増幅器部の起動にも依存するようになっている。
【０００３】
【発明が解決しようとする課題】
ところで、上述した初期起動時間は、無線基地局部内の保守監視機能部に実装されるカード毎の問合わせにより取得される。これに対し、上記の送信増幅器部に関しては、送信増幅器監視制御機能部に対し、シリアル接続されているため、初期起動時間が送信増幅器監視制御機能部及び送信増幅器部の枚数に依存することから、ＢＴＳ（無線基地局）の初期起動時における時間が遅れてしまう。このように、初期起動時間が遅れると、無線変復調装置に含まれる該当セクタにて運用される一般呼等が通信断となる。
【０００４】
本発明は、このような状況に鑑みてなされたものであり、ＢＴＳ（無線基地局）の初期起動時における時間を短縮することができる移動通信システムにおける無線変復調装置を提供することができるようにするものである。
【０００５】
【課題を解決するための手段】
本発明の移動通信システムにおける無線変復調装置は、無線基地局部及びこの無線基地局部にシリアル接続されている送信増幅器監視部を備える移動通信システムにおける無線変復調装置であって、前記無線基地局部は、前記送信増幅器監視部とのインターフェースを受持つ外部インターフェース機能部と、各種機能毎のプログラムデータを記憶しているシステムデータ記憶機能部と、前記送信増幅器監視部の状態を監視し、前記プログラムデータの比較により、異なる場合には前記システムデータ記憶機能部に対し、前記各種機能毎のプログラムデータを転送させる保守監視機能部とを備え、前記送信増幅器監視部は、前記無線基地局部からのプログラムデータを受付ける送信増幅器監視制御機能部と、前記送信増幅器監視制御機能部に接続されるとともに、送信データの増幅を行う複数の送信増幅器部とを備え、初期起動時に、前記保守監視機能部により、前記システムデータ記憶機能部に記憶されているプログラムデータと前記送信増幅器監視部側のプログラムデータとが比較され、異なる場合には前記システムデータ記憶機能部に記憶されているプログラムデータが前記送信増幅器監視部に転送されると、前記送信増幅器監視制御機能部により転送されたプログラムデータがダウンロード処理の対象となる前記送信増幅器部へ同時にダウンロードされることを特徴とする。
本発明の移動通信システムにおける無線変復調装置の初期起動方法は、無線基地局部及びこの無線基地局部にシリアル接続されている送信増幅器監視部を備える移動通信システムにおける無線変復調装置の初期起動方法であって、前記無線基地局部は、外部インターフェース機能部により、前記送信増幅器監視部とのインターフェースがとられる工程と、システムデータ記憶機能部により、各種機能毎のプログラムデータが記憶される工程と、保守監視機能部により、前記送信増幅器監視部の状態が監視され、前記プログラムデータの比較により、異なる場合には前記システムデータ記憶機能部に対し、前記各種機能毎のプログラムデータを転送させる工程とを有し、前記送信増幅器監視部は、送信増幅器監視制御機能部により、前記無線基地局部からのプログラムデータが受付けられる工程と、前記送信増幅器監視制御機能部に接続される送信増幅器部により、送信データの増幅が行われる工程とを有し、さらに、初期起動時に、前記保守監視機能部により、前記システムデータ記憶機能部に記憶されているプログラムデータと前記送信増幅器監視部側のプログラムデータとが比較される工程と、異なる場合には前記システムデータ記憶機能部に記憶されているプログラムデータが前記送信増幅器監視部に転送されると、前記送信増幅器監視制御機能部により転送されたプログラムデータがダウンロード処理の対象となる前記送信増幅器部へ同時にダウンロードされる工程とを有することを特徴とする。
本発明に係る移動通信システムにおける無線変復調装置においては、初期起動時に、無線基地局部により、自らが保有するプログラムデータと送信増幅器監視部側のプログラムデータとが比較され、異なる場合には自らが保有するプログラムデータが送信増幅器監視部に転送され、送信増幅器監視部では、転送された自らが保有するプログラムデータのダウンロードが実行されるようにする。
【０００６】
【発明の実施の形態】
以下、本発明の実施の形態について説明する。
【０００７】
図１は、本発明の移動通信システムにおける無線変復調装置の一実施の形態を示す図、図２は、図１の移動通信システムにおける無線変復調装置の動作を説明するためのフローチャートである。
【０００８】
図１に示す移動通信システムにおける無線変復調装置は、ＢＴＳ（無線基地局）に設けられているものであり、無線基地局部１０及び送信増幅器監視部２０を備えている。
【０００９】
無線基地局部１０は、外部インターフェース機能部１１、システムデータ記憶機能部１２、保守監視機能部１３を備えている。
【００１０】
外部インターフェース機能部１１は、送信増幅器監視部２０とのインターフェースを受持つものであり、保守監視機能部１３から指示されたプログラムが送信増幅器監視部２０に転送されるようになっている。システムデータ記憶機能部１２は、各種機能毎のプログラムを記憶しているものである。保守監視機能部１３は、後述の送信増幅器監視制御機能部２１及び送信増幅器部２２等の状態を監視するものである。
【００１１】
送信増幅器監視部２０は、送信増幅器監視制御機能部２１及び複数の送信増幅器部２２を備えている。送信増幅器監視制御機能部２１は、送信増幅器部２２の状態等を監視するものである。送信増幅器部２２は、送信データを増幅するものである。ここで、送信増幅器監視制御機能部２１と外部インターフェース機能部１１とはシリアル接続されており、無線基地局部１０内のカード間は図示しないバス制御機能部によりＡＴＭ接続されている。
【００１２】
次に、このような構成の移動通信システムにおける無線変復調装置の動作について説明する。
【００１３】
まず、図２に示すように、ＢＴＳ（無線基地局）初期起動時における動作の判別が行われる（ステップ２０１）。ここで、送信増幅器監視制御機能部２１から送信増幅器部２２への並列ダウンロードの対象は初期立上げ時のみとなり、それ以外（後実装、ローカルリセット）の場合は従来の個別ダウンロード機能が動作される。よって、保守監視機能部１３において、”ＢＴＳ初期起動”の判別が行われる。個別起動の場合は指定された個別のダウンロードが実現される。
【００１４】
そこで、保守監視機能部１３からシステムデータ記憶機能部１２へプログラムのバージョンの問合わせのために、バージョン取得要求が出される（ステップ２０２）。このとき、たとえば５秒以内にバージョン取得応答があると（ステップ２０３，２０４）、保守監視機能部１３から送信増幅器監視制御機能部２１へプログラムのバージョンの問合わせのために、バージョン取得要求が出される（ステップ２０５）。このとき、たとえば５秒以内にバージョン取得応答があると（ステップ２０６，２０７）、システムデータ記憶機能部１２からのプログラムのバージョンと、送信増幅器監視制御機能部２１からのプログラムのバージョンと一致判別が行われる（ステップ２０８）。ここで、送信増幅器監視制御機能部２１からのプログラムのバージョンの応答は、実装されている送信増幅器部２２のそれぞれのバージョンとなる。
【００１５】
（ステップ２０８）において、一致している場合にはダウンロード処理は行われず、一致していないカード有りと判別されると、送信増幅器監視制御機能部２１に対し、閉塞制御が行われる（ステップ２０９）。ここでの閉塞制御は、送信増幅器監視制御機能部２１に対し、ダウンロード処理の対象となる送信増幅器部２２を明確にするものであり、これにより送信増幅器監視制御機能部２１により閉塞制御された送信増幅器部２２へのプログラムのダウンロードが行われる。
【００１６】
この場合、まず、保守監視機能部１３により送信増幅器監視制御機能部２１へ閉塞制御が出され、送信増幅器監視制御機能部２１からたとえば５秒以内に閉塞制御結果と状態変化報告とが返されると、システムデータ記憶機能部１２へダウンロードデータ転送指令が出される（ステップ２１０〜２１４）。
【００１７】
そして、システムデータ記憶機能部１２から送信増幅器監視制御機能部２１へダウンロード開始指令が出され、送信増幅器監視制御機能部２１から保守監視機能部１３へダウンロード開始応答が返されると、システムデータ記憶機能部１２から送信増幅器監視制御機能部２１へダウンロードデータ転送が行われる（ステップ２１５〜２１７）。
【００１８】
次いで、送信増幅器監視制御機能部２１から保守監視機能部１３へダウンロードデータ転送確認が返され、保守監視機能部１３から送信増幅器監視制御機能部２１へダウンロードデータ終了の確認が出されて、送信増幅器監視制御機能部２１から保守監視機能部１３へダウンロードデータ終了応答が返される（ステップ２１８〜２２０）。このようなダウンロードデータ転送は、（ステップ２０８）において不一致カード有りと判断された送信増幅器部２２の全てに対して行われる（ステップ２２１）。
【００１９】
このようにして全ての送信増幅器部２２に対してのダウンロードデータ転送が行われると、保守監視機能部１３から送信増幅器監視制御機能部２１へヘルスチェック要求が出され、それに対するヘルスチェック応答が送信増幅器監視制御機能部２１から保守監視機能部１３へ返されることで、ダウンロードデータ転送が終了となる（ステップ２２２，２２３）。
【００２０】
このように、本実施の形態では、初期起動時に、無線基地局部１０の保守監視機能部１３により、システムデータ記憶機能部１２に記憶されているプログラムデータと送信増幅器監視部２０側のプログラムデータとが比較され、異なる場合にはシステムデータ記憶機能部１２に記憶されているプログラムデータが送信増幅器監視部２０に転送され、送信増幅器監視部２０では、送信増幅器監視制御機能部２１により転送されたプログラムデータがダウンロード処理の対象となる送信増幅器部２２へ同時にダウンロードされるようにしたので、ＢＴＳ（無線基地局）の初期起動時における時間を短縮することができる。
【００２１】
【発明の効果】
以上の如く本発明に係る移動通信システムにおける無線変復調装置によれば、初期起動時に、無線基地局部により、自らが保有するプログラムデータと送信増幅器監視部側のプログラムデータとが比較され、異なる場合には自らが保有するプログラムデータが送信増幅器監視部に転送され、送信増幅器監視部では、転送された自らが保有するプログラムデータのダウンロードが実行されるようにしたので、ＢＴＳ（無線基地局）の初期起動時における時間を短縮することができる。
【図面の簡単な説明】
【図１】本発明の移動通信システムにおける無線変復調装置の一実施の形態を示す図である。
【図２】図１の移動通信システムにおける無線変復調装置の動作を説明するためのフローチャートである。
【符号の説明】
１０  無線基地局部
１１  外部インターフェース機能部
１２  システムデータ記憶機能部
１３  保守監視機能部
２０  送信増幅器監視部
２１  送信増幅器監視制御機能部
２２  送信増幅器部
【図１】
0003597144.tif 000002
【図２】
0003597144.tif 000003